(57)【要約】【課題】計算機による印刷プロセスの前段階のカラーマネージメントにおいて使用するために、印刷像において特色の上に重ねて印刷されるように位置付けされている対象物の黒色構成を維持する方法が提供される。【解決手段】特色および対象物は、カラーマネージメントにおいて、印刷プロセスのプロセスカラーの組み合わせに変換され、次に、プロセスカラーのこの組み合わせは、印刷機において印刷像の作成のために使用され、この方法は、印刷プロセスのプロセスカラーへの色変換が２段階で行われ、第１の段階では、プロセスカラーへの色変換が、特色を維持しながら実行され、その後、特色上に、対象物の重畳印刷が存在するか否かが検査され、そうである場合には、対象物の黒成分が除去され、次に第２の段階において、特色がプロセスカラーに変換され、これに続いて、対象物の黒成分が最大化される。【選択図】図２
2018160894.tif 000002
【特許請求の範囲】
【請求項１】
計算機（６）による印刷プロセスの前段階のカラーマネージメントにおいて使用するために、印刷像（１０，１４，１５）において特色（９）の上に重ねて印刷されるように位置付けされている少なくとも１つの対象物（８）の黒色構成を維持する方法であって、前記特色（９）および前記少なくとも１つの対象物（８）は、前記カラーマネージメントにおいて、前記印刷プロセスのプロセスカラーの組み合わせに変換され、次に前記プロセスカラーの組み合わせが、印刷機において印刷像（１０，１４，１５）の作成のために使用される方法において、
前記印刷プロセスの前記プロセスカラーへの色変換は、２段階で行われ、第１の段階では、前記プロセスカラーへの色変換が、前記特色を維持しながら実行され、その後、前記特色（９）上に、前記少なくとも１つの対象物（８，１１，１３）の重畳印刷が存在するか否かが検査され、そうである場合には、前記少なくとも１つの対象物（８，１１，１３）の黒成分が除去され、次に第２の段階では、前記特色（９，１２）が前記プロセスカラーに変換され、これに続いて、前記少なくとも１つの対象物（８，１１，１３）の前記黒成分が最大化される、
方法。
【請求項２】
最後に行われる、前記少なくとも１つの対象物（８，１１，１３）の前記黒成分の前記最大化は、前記プロセスカラーへの前記特色（９，１２）の色変換時に生じた前記黒成分を最大の黒値によって上書きすることによって行われる、
請求項１記載の方法。
【請求項３】
前記最後に行われる、前記少なくとも１つの対象物（８，１１，１３）の前記黒成分の前記最大化は、最大の黒値を加えることによって行われ、ここで前記プロセスカラーへの前記特色（９，１２）の色変換時に黒成分は、計算されない、
請求項１記載の方法。
【請求項４】
前記印刷プロセスの出力色空間を規定する、前記印刷プロセスのプロセスカラーは、自由選択的に少なくとも１つの付加的なプロセスカラーが足されたＣＭＹＫを含んでいる、
請求項１から３までのいずれか１項記載の方法。
【請求項５】
前記特色（９，１２）上に、前記少なくとも１つの対象物（８，１１，１３）の重畳印刷が存在するか否かの前記検査は、前記少なくとも１つの対象物（１３）の色値の検査によって行われ、これに対する条件は、ＣＭＹが０と同じである一方、Ｋが最大であり、かつ、前記特色（９，１２）が０よりも大きくなくてはならない、ということである、
請求項４記載の方法。
【請求項６】
前記少なくとも１つの対象物（８，１１，１３）によって覆われていない、前記特色を備える前記印刷像（１０，１４，１５）の領域は、前記色変換の第２の段階において、前記黒成分に影響を与えることなく、前記プロセスカラーに変換される、
請求項１から５までのいずれか１項記載の方法。
【請求項７】
印刷像（１０，１４，１５）に対して、少なくとも１つの対象物（８，１１，１３）が重ねて印刷され得る異なる特色（９，１２）を備える複数の領域が存在する場合、前記プロセスカラーへの前記色変換の前記第２の段階が各特色（９，１２）に対して、前記印刷プロセスのプロセスカラーの各組み合わせにおいて実行される、
請求項１から６までのいずれか１項記載の方法。
【請求項８】
前記少なくとも１つの対象物（８，１１，１３）は、線状の対象物、特にバーコードであり、前記線状の対象物は、前記プロセスカラーにおいて、ＣＭＹが０に等しく、Ｋが最大に等しいという組み合わせによって規定されている、
請求項１から７までのいずれか１項記載の方法。
【請求項９】
前記プロセスカラーＫに対する、前記少なくとも１つの対象物（８，１１，１３）の前記最大の黒値は、９０と１００との間にある、
請求項１から８までのいずれか１項記載の方法。
【請求項１０】
前記印刷プロセスは、インクジェット印刷機によって実行されるインクジェット印刷プロセスである、
請求項１から９までのいずれか１項記載の方法。
【発明の詳細な説明】
【技術分野】
【０００１】
本発明は、印刷像において、付加的な色の上に重ねて印刷されるように位置付けさている対象物の黒色構成を維持する方法に関する。
【０００２】
本発明は、デジタル印刷の技術分野に属する。
【背景技術】
【０００３】
印刷産業において、多色印刷は、従来のオフセット印刷であるか、デジタルインクジェット印刷であるかに係わらず、複数の印刷色の重畳印刷、すなわち、いわゆる複数の色分解版によって実現される。すなわち、各色分解版は、印刷プロセスにおいて使用される印刷色に相応する。すなわちＣＭＹＫによる印刷プロセス、すなわち４色印刷では、４つの色分解版が作成され、これらの色分解版はそれぞれ、結果として生じる印刷像での相応する色の成分を含んでいる。ＣＭＹＫに対して付加的に、しばしば他の印刷色、いわゆる付加的な色が使用される。これらの付加的な色は、結果として生じる印刷像において、従来のＣＭＹＫプロセス色空間においては得ることができない色値が得られるべき場合に必要とされる。これらの付加的な色はこの場合、印刷において、付加的な色分解版として、結果として生じる印刷像に加えられる。ＣＭＹＫの４つの標準色のうちの１つを、４色印刷プロセスにおいて、付加的な色によって置き換えることも可能である。
【０００４】
付加的な色の使用はここでしばしば、印刷されるべき像において、特別な色値が実現されるべき場合に必要とされる。以降で特色値と称されるこのような特別な色値は、例えば、Ｐａｎｔｏｎｅ（パントン）インクの色カタログからの色値である。これらの特別な色値は、例えば、特定の会社のロゴの構成成分であり、この会社のロゴは、この特別な色値によって、高い認知度を保証する。特別な色値を有する特色は、ここで色カタログにおいて、特別なＬＡＢ値によって特徴付けされている。印刷プロセスにおいては、次に、このような特色を、プロセス色空間に相応に変換することが必要である。すなわち、特色の色値をできるだけ合目的に再現することができる、場合によっては必要な付加的な色が加えられた使用可能なプロセスカラーＣＭＹＫの組み合わせが求められなければならない。これは通常、印刷プロセスの前段階において実行される色空間変換によって得られる。ここでは、例えばＲＧＢ色空間で存在する、印刷タスクからのデジタルで存在する印刷像データが、入力プロファイルを用いて、いわゆるＸＹＺ色空間に変換される。ＬＡＢ色空間はここで、ＸＹＺ色空間の特別な表現である。このＸＹＺ色空間またはＬＡＢ色空間において、得られるべき印刷像の標準化された色値再現が可能である。ここで、印刷像のできるだけ色に忠実な再現のために、相応するプロセスカラーの組み合わせを求めるために、ＸＹＺ色空間もしくはＬＡＢ色空間と付加的な色が足されたＣＭＹＫ伴うプロセス色空間との間で、相応する色空間変換が実行されなければならない。これは、相応する、上述した特色を使用する場合にも当てはまる。
【０００５】
ここで、デジタルの形態の、作成されるべき印刷像において、前段階において、黒色の対象物が特色の上に位置付けされている場合、このプロセスにおいて問題が発生し得る。この黒色の対象物は、例えばバーコードであってよい。このバーコードは通常、１００％に近い黒における、極めて高い黒値で表示される。なぜならバーコードは、複数の幅の狭い黒色の線から成るからである。これらの線は、確実なデータ伝送のために、直接的な像周辺に対して相応に高いコントラストを有していなければならない。このような場合に、特色上の黒色の対象物を備えるこのような印刷像が、上述した色空間変換によって、付加的な色が足されたプロセス色空間ＣＭＹＫに変換されると、プロセスカラーの色組成は、所望の結果に相応しなくなってしまう。
【０００６】
オリジナルの画像では、黒色の対象物に対する黒値は約１００％であり、ここでは相応に、特色に相当する残りの色値は０である。黒色の対象物によって覆われていない、隣接する面では、黒値は、プロセス色空間に変換された特色から生じる。特色の色値と、黒に対する色値との組み合わせの際には、プロセス色空間への色変換によって、黒色の対象物の箇所での黒に対する値が、約１００％よりも低い値で求められる。
【０００７】
色値は、該当する箇所で依然として極めて暗いので、これは、標準的な印刷像においては通常は問題ではないが、特定の黒色の対象物、例えば、極めて高いコントラストを備えた、極めて繊細な線を有しているバーコードの場合には、例えば網目スクリーン作用によって、または見当ズレによって、問題が生じてしまうことがある。このような対象物では、黒に対する、１００％を格段に下回る値は、バーコードの明確な検出をもはや保証することができない。このような低減された黒値を有するバーコードは、多くの場合、もはや機械によって読み出し不可能である。
【０００８】
根底にある問題は、相応する色空間変換を伴う上述した印刷プロセスにしたがって、特色の上の黒に対する、結果として生じる混合色が次のように求められてしまう、ということである。すなわち、黒も、特色も、ＸＹＺ色空間もしくはＬＡＢ色空間に変換され、次にこの色空間において混合色が特定されるように求められてしまう、ということである。その後、この混合色が、場合によっては付加的な色が足されたＣＭＹＫのプロセス色空間に変換されると、黒はもはや相応する１００％の値を有していなくなってしまう。
【０００９】
対象物が特色と相互作用せずに、通常の印刷色とのみ相互作用する場合にのみ、目下の従来技術においては、対象物のこのような黒色構成を維持することが可能である。従来技術から既知の、特色上に黒色の対象物をこのように重畳することを可能にする唯一の手法は、黒色の対象物を、プロセス色空間における特色において切り抜き、次に、この黒色の対象物を、印刷されていない、切り抜かれた領域上に、黒色の色分解版によって載せることである。しかしここで、黒色の色分解版から、特色を置き換える別の色分解版への極めて僅かな見当ズレも発生してはいけない。なぜなら、見当ズレが発生する場合には縞が生じ得るからである。すなわち、黒色の色分解版の僅かなズレによって、切り抜かれた黒色の対象物の幅の狭い領域が印刷されずに残り、これに相応して、例えば白色の印刷基材の場合には認識可能な状態のまま残り、印刷像がこれによって著しく阻害される。
【発明の概要】
【発明が解決しようとする課題】
【００１０】
したがって本発明の課題は、印刷の質に悪影響を与えることなく、黒色の像対象物を特色の上に印刷する方法を提供することである。
【課題を解決するための手段】
【００１１】
上述の課題の解決策は、計算機による印刷プロセスの前段階のカラーマネージメントにおいて使用するために、印刷像において特色の上に重ねて印刷されるように位置付けされている少なくとも１つの対象物の黒色構成を維持する本発明の方法である。ここで、特色および少なくとも１つの対象物は、カラーマネージメントにおいて、印刷プロセスのプロセスカラーの組み合わせに変換され、次に、プロセスカラーのこの組み合わせが、印刷機において印刷像の作成のために使用される。本発明の方法は、印刷プロセスのプロセスカラーへの色変換は２段階で行われ、ここで第１の段階では、プロセスカラーへの色変換が実行され、かつ特色が維持され、その後、特色上に、少なくとも１つの対象物の重畳印刷が存在するか否かが検査され、そうである場合には少なくとも１つの対象物の黒成分が除去され、次に第２の段階において、特色がプロセスカラーに変換され、これに続いて、少なくとも１つの対象物の黒成分が最大化される、ということを特徴とする。ここで本発明の方法は、３つのメインステップから成る。従来技術においては、ＸＹＺ色空間もしくはＬＡＢ色空間への、特色を伴う黒値の色変換がすぐに実行され、次に混合色が特定され、この混合色が次にプロセス色空間に移行されるが、その代わりに、本発明では、ＸＹＺ色空間もしくはＬＡＢ色空間への変換後にはじめて、ＸＹＺ色空間もしくはＬＡＢ色空間から、場合によって生じる付加的な色が足されたプロセス色空間ＣＭＹＫへの色変換が実行される。ここで、特色の領域が、一緒に変換されることはない。すなわち、ＣＭＹＫプロセス色空間における中間像が生じ、これは付加的に特色の箇所において、さらに、相応する特色値を、オリジナルのＸＹＺ色空間もしくはＬＡＢ色空間において有している。次にこの中間像から、計算機において、ＣＭＹは０であるが、Ｋ、すなわち黒と特色は０よりも大きい全体的な領域が抽出される。さらなるステップでは、この領域に対して、対象物の黒成分が除去され、したがって特色の値だけが依然として残る。ここでこの領域に対して、場合によっては付加的な色が足されたプロセスカラーＣＭＹＫによるプロセス色空間への色変換が実行される。次に最後のステップにおいて、結果として生じたプロセスカラー組み合わせにおいて、黒値が最大に設定される。重要な相違は、これらの方法が、黒色の対象物が特色上に位置付けされている領域に対してのみ使用されるということである。特色だけが印刷されるべき領域、すなわち、黒色の対象物によって覆われていない領域は、本発明では、従来技術から公知の色空間変換方法によって、プロセス色空間に移行される。このように、本発明に相応に、特色上に黒が重ねて印刷された領域において黒成分を最大化することによって、必要な最大の黒値が、印刷像内の、影響を受けやすい黒色の対象物、例えばバーコードに対して存在する、ということが保証される。
【００１２】
この方法の有利な発展形態は、属する従属請求項ならびに図面が付属する説明から明らかである。
【００１３】
有利な発展形態では、最後に行われる、少なくとも１つの対象物の黒成分の最大化が、プロセスカラーへの特色の色変換時に生じた黒成分を最大の黒値によって上書きすることによって行われる。ここで黒成分の最大化は、プロセスカラーへの特色の色変換の際に生じた黒成分を相応する最大の黒値によって上書きすることによって行われてよい。この場合には、結果として生じる色値のある程度の色ズレが甘受される。なぜなら、黒成分は、プロセスカラーの組み合わせの元来の計算の際に役割を担っているからである。しかしこれは、上述した理由から、甘受される。
【００１４】
別の有利な発展形態では、最後に行われる、少なくとも１つの対象物の黒成分の最大化は、最大の黒値を加えることによって行われる。ここではプロセスカラーへの特色の色変換時に黒成分は計算されない。黒成分の最大化を実行する別の手法は、黒成分が全く計算されないように、プロセス色空間への特色の色空間変換を重畳印刷領域に対して実行することである。黒成分はいずれにせよ最大化されるので、特色に対する固有の黒成分自体を計算する必要もない。この手法は、黒成分の簡素な上書きよりも正確な色再現が可能であるという利点を有している。
【００１５】
別の有利な発展形態では、印刷プロセスの出力色空間を規定する印刷プロセスのプロセスカラーは、自由選択的に少なくとも１つの付加的なプロセスカラーが足されたＣＭＹＫを含んでいる。ここで有利な出力色空間は、ＣＭＹＫ色空間である。付加的に、さらに自由選択的に少なくとも１つの付加的なプロセスカラー、例えばオレンジ、緑または紫の形態の付加的なプロセスカラーが使用されてよい。しばしば、純粋なＣＭＹＫプロセスカラーは、全ての可能な特色の色値を相応に、色に忠実に再現するのには十分ではないので、これが必要である。
【００１６】
別の有利な発展形態では、特色上に、少なくとも１つの対象物の重畳印刷が存在するか否かの検査は、少なくとも１つの対象物の色値の検査によって行われる。ここでこれに対する条件は、ＣＭＹが０と同じである一方、Ｋが最大であり、かつ特色が０よりも大きくなくてはならない、ということである。この検査は、特色以外の印刷像の全ての色値がＣＭＹＫに変換される第１のステップの後、ＣＭＹが０であり、Ｋが０よりも大きく、かつ特色が０よりも大きい領域が印刷像内に生じているか否かが検査されることで実行される。
【００１７】
別の有利な発展形態では、少なくとも１つの対象物によって覆われていない、特色を備える印刷像の領域は、色変換の第２の段階において、黒成分に影響を与えることなく、プロセスカラーに変換される。特色が０よりも大きく、かつＫが０である領域に対しては、プロセス色空間への特色値の標準的な変換が実行され、特色もＫも０より大きい領域に対しては、本発明の方法が使用される。
【００１８】
別の有利な発展形態では、１つの印刷像に対して、少なくとも１つの対象物が重ねて印刷され得る異なる特色を備える複数の領域が存在する場合、プロセスカラーへの色変換の第２段階が各特色に対して、印刷プロセスのプロセスカラーの各組み合わせにおいて実行される。異なる特色を伴う領域が存在することが可能である。１つの印刷像において複数の特色が使用されることは希であるが、そうである場合には、本発明の方法は、各特色に対して、プロセスカラーの相応のプロセスカラーの相応の組み合わせにおいて、本発明に相応して実施される。ここで、同一の対象物が異なる特色の上に印刷されているか否か、または異なる黒色の対象物が異なる特色領域上に印刷されているか否かは、重要でない。同一の対象物が特色の異なる領域上に印刷されている場合、当然ながら、２つの異なる像対象物への相応する分断が実行されなければならず、ここで１つの像対象物は、重ねて印刷されている対象物の一部分が足された特色１から成り、第２の像対象物は、重ねて印刷されている黒色の対象物の残りの部分が足された特色２から成る。同様のことが、２つよりも多い、異なる特色領域が存在する場合に当てはまる。
【００１９】
別の有利な発展形態では、少なくとも１つの対象物は線状の対象物、特にバーコードであり、この線状の対象物は、プロセスカラーにおいて、ＣＭＹが０に等しく、Ｋが最大に等しいという組み合わせによって規定されている。ここで本発明の方法の適用領域は、黒値が最大に等しく、残りの色成分が相応に０に等しい、線状の黒色の対象物にとって重要である。このような対象物は、多くの場合、ＣＭＹＫ色空間で表され、ここでこの場合には相応にＣＭＹは０であり、Ｋは最大である。この場合には、印刷プロセスに相応する色変換過程において、ＸＹＺ色空間もしくはＬＡＢ色空間への相応する黒色のＣＭＹＫオブジェクトの第１の色空間変換が実行され、次に、第２のステップにおいて、本発明と相応に、相応するプロセス色空間への変換が実行される。これはここで通常、相応するＣＭＹＫ色空間でもある。
【００２０】
別の有利な発展形態では、プロセスカラーＫに対する、少なくとも１つの対象物の最大の黒値は、９０と１００との間にある。本発明の方法によって、結果として生じるＣＭＹＫ印刷像において得られるべき最大の黒値は、９０から１００％までの領域にある。
【００２１】
別の有利な発展形態では、印刷プロセスは、インクジェット印刷機によって実行されるインクジェット印刷プロセスである。本発明の方法は基本的にオフセット印刷においても使用可能ではあるが、有利な使用領域はデジタル印刷であり、ここでは特にインクジェット印刷である。
【００２２】
本発明それ自体ならびに本発明の構造的かつ／または機能的に有利な発展形態を以降で、属する図面を参照して、少なくとも１つの有利な実施例に基づいて詳細に説明する。図面では相応する要素にはそれぞれ同じ参照符号が付けられている。
【図面の簡単な説明】
【００２３】
【図１】インクジェット印刷機の例
【図２】特色上のバーコードの、問題を有する重畳印刷の図
【図３】本発明の方法の概略図
【発明を実施するための形態】
【００２４】
有利な実施形態の適用領域はインクジェット印刷機７である。この種の印刷機７の構造の例が図１に示されている。印刷過程は制御計算機６によって監視される。ここで枚葉紙もしくは印刷基材２は、フィーダ１から、搬送方向において、搬送胴を介して印刷ユニット４および印刷ヘッド５へ搬送される。ここで印刷ヘッド５は、印刷ノズルの１つまたは複数の列から成る。これらの胴は、１つまたは複数の駆動部によって駆動される。次に、印刷ヘッド５内の印刷ノズルを介して、インクが枚葉紙２上に塗布され、印刷像が作成される。枚葉紙２は、さらに搬送され、乾燥され、渡り胴を介して、デリバリ３にさらに搬送される。
【００２５】
図３において、本発明の方法のフローに関して、例に基づいて詳細に説明する。この方法は、計算機６上で動作されるＡｄｏｂｅ  ＰＤＦ  Ｐｒｉｎｔｅｎｇｉｎｅを使用して実現される。処理されるべきＰＤＦファイルは、ここで、バーコード８の形態で規定され、色値Ｃ＝Ｍ＝Ｙ＝０、Ｋ＝１００％を有するＣＭＹＫオブジェクトとして、Ｐａｎｔｏｎｅ  １４２  ＰＣ９の１００％の特色の上に重ねて印刷される。これは、Ｌａｂ：７８．６−１３．１５−６１．４９のＬａｂ値で規定されている。
【００２６】
図示の実施例では、インクジェット印刷機７において、プロセスカラーＣＭＹＫならびに付加的な色、オレンジおよび緑の６色で印刷が行われる。これは、結果として生じる２つの対象物８、９となる。すなわち、第１の対象物は、特色Ｐａｎｔｏｎｅ  １４２  ＰＣ９の領域であり、第２の対象物は、特色９がバーコード８によって重畳印刷されるべき領域である。図２では、この例が、第１の図において概略的に示される。
【００２７】
これまでの、従来技術から公知の１段階方式の方法では、この実施例は以下のように経過する。２つの対象物８、９が、ＸＹＺ色空間に変換され、混合色が特定され、出力プロファイルによって、出力色空間に変換される。結果は以下のようになる。
Ｐａｎｔｏｎｅ  １４２  ＰＣ１２：→Ｃ＝６，Ｍ＝５，Ｙ＝６３，Ｇ＝０；Ｏ＝２１，Ｋ＝０
Ｐａｎｔｏｎｅ  １４２  ＰＣ上の黒１３：→Ｃ＝６７，Ｍ＝６８，Ｙ＝８３，Ｇ＝２；Ｏ＝１７，Ｋ＝８５
【００２８】
良く見て取れるように、黒値は、バーコード１１の対象物に対して、出力色空間において、特色の上の重畳印刷の領域１３では８５であり、約１００の最大値にはない。これは、属する図２においても、第２の図に相応に示されている。
【００２９】
本発明の方法では、第１の段階において、画像データ１０は出力色空間に変換される。しかし特色９を有する領域およびバーコード８のＣＭＹＫ色は、変更されない、すなわち、変換されない。すなわち、第１の色空間変換後、出力色空間における印刷像１５が得られる。ここで、特色９を有する領域と、特色上に位置付けされ、依然として入力色空間の形態の黒色の対象物８の領域と、が存在する。
【００３０】
カラーマネージメントの第２の段階では、ＰＤＦ  Ｐｒｉｎｔｅｎｇｉｎｅのインタフェースによって、Ｄｉｒｅｃｔ  Ｃｏｌｏｒ  Ａｄｊｕｓｔｅｍｅｎｔｓが実現される。すなわち、ここでは、第１の色空間変換の値が、本発明と相応に、特色の残りの領域８、９に関して、バーコードによる重畳印刷を伴っても、伴わなくても、整合される。第２の段階では、カラーマネージメントは、例えばスペクトルカラーマネージメントに基づいて実行される。
【００３１】
インタフェースでは、上述した実施例の場合には、値
Ｐａｎｔｏｎｅ  １４２  ＰＣ９：          Ｐａｎｔｏｎｅ  １４２  ＰＣ
Ｐａｎｔｏｎｅ  １４２  ＰＣ上の黒９：    Ｐａｎｔｏｎｅ  １４２  ＰＣ，Ｋ＝１００，Ｃ＝Ｍ＝Ｙ＝０
が得られる。
【００３２】
２つの対象物８、９を有するこの領域から、次に、計算機６によって、バーコード８の重畳印刷部分が、条件Ｃ＝Ｍ＝Ｙ＝０およびＫ！＝０（Ｋ≠０）に基づいて識別され、別個にされる。Ｐａｎｔｏｎｅ  １４２  ＰＣだけから成るエリアを備えた領域９は第２の段階において、変更されずに、出力プロファイルによって、出力色空間に変換される。次に、この領域に対して相応に、領域１２が出力色空間におけるプロセスカラーにおいて得られる。
【００３３】
バーコードの重畳印刷領域１３に対して、色空間変換は本発明では次のように実現される。すなわち、値の計算が、スペクトルカラーマネージメントで、Ｋ＝０の値で実行される。この結果、次に、Ｋに対するオリジナルの値が再び記入される。
【００３４】
結果は、
Ｐａｎｔｏｎｅ  １４２  ＰＣ１２→Ｃ＝５，Ｍ＝３，Ｙ＝６０，Ｇ＝０；Ｏ＝３３，Ｋ＝０
Ｐａｎｔｏｎｅ  １４２  ＰＣ上の黒１３→Ｃ＝５，Ｍ＝３，Ｙ＝６０，Ｇ＝０；Ｏ＝３３，Ｋ＝１００
となる。
【００３５】
良く見て取れるように、Ｋに対する、結果として生じる黒値は、バーコードの重畳印刷部分１３において、１００で最大である。これによって、結果として生じた印刷像１４におけるバーコード１１の自動的な評価が問題なく行われる。
【符号の説明】
【００３６】
１  フィーダ
２  印刷基材
３  デリバリ
４  インクジェット印刷ユニット
５  インクジェット印刷ヘッド
６  計算機
７  インクジェット印刷機
８  入力色空間における黒色の対象物「バーコード」
９  入力色空間における特色「Ｐａｎｔｏｎｅ  １４２  ＰＣ」の領域
１０  入力色空間における前段階の印刷像
１１  出力色空間における黒色の対象物「バーコード」
１２  出力色空間における特色「Ｐａｎｔｏｎｅ  １４２  ＰＣ」の領域
１３  出力色空間における特色上の黒の重畳印刷の領域
１４  出力色空間におけるプロセス印刷像
１５  第１の色空間変換後の印刷像
【図１】
2018160894.tif 000003
【図２】
2018160894.tif 000004
【図３】
2018160894.tif 000005
【外国語明細書】
2018160894.tif 000006
2018160894.tif 000007
2018160894.tif 000008
2018160894.tif 000009
2018160894.tif 000010
2018160894.tif 000011
2018160894.tif 000012
2018160894.tif 000013
2018160894.tif 000014
2018160894.tif 000015
2018160894.tif 000016
2018160894.tif 000017
2018160894.tif 000018
2018160894.tif 000019
2018160894.tif 000020
2018160894.tif 000021
2018160894.tif 000022
2018160894.tif 000023
2018160894.tif 000024